(57)【要約】　【課題】　所望の直径に容易に調節してロックすることのできる拡張可能バンドを提供する。　【解決手段】　拡張可能バンド１０は、第１バンド末端部１４及び第２バンド末端部１６を有するバンド本体１２を備える。複数個のスロットは第１バンド末端部１４に配置され、ロック部材２４は第２バンド末端部１６から延在する。ロック部材２４は第２バンド末端部１６の一体要素で、かつ、所望の直径で拡張可能バンドをロックするために、第２バンド末端部１６を通って複数個のスロットの中の１つの中に延在するためのタブ２６を備える。ロック部材２４はまた、少なくとも１つのリブ又は凸部を備えていてもよい。バンド１０が拡張される際、タブ２６はスロット２２から外され、スロット２２の上を滑り、第１及び第２バンド末端部１４、１６が互いの方向に移動することを可能にする。　【選択図】　図１
2004076939.tif 000002
【特許請求の範囲】
【請求項１】
第１バンド末端部及び第２バンド末端部を有し、前記第１バンド末端部及び前記第２バンド末端部がほぼ環状の形状を形成するよう重なり合っているバンド本体と、
　前記バンド本体の前記第１バンド末端部に配置された複数個の連続的なスロットと、
　前記バンド本体の前記第２バンド末端部に配置されたロック部材であって、前記ロック部材が前記第２バンド末端部の一体要素で、かつ所望の直径で前記拡張可能バンドをロックするために、前記第２バンド末端部の開口部を通って、複数個のスロットの１つの中に延在するためのタブを含む、ロック部材とを備え、
　前記バンド本体の前記第２バンド末端部は前記ロック部材の前記タブを超えて延在する端部を備えていることを特徴とする、拡張可能バンド。
【請求項２】
前記バンド本体がほぼＵ型の断面を有することを特徴とする、請求項１に記載の拡張可能バンド。
【請求項３】
前記バンド本体の前記第１及び第２バンド末端部が前記ほぼＵ型の断面を有し、かつ、前記バンド本体の前記第１バンド末端部は前記第２バンド末端部より狭い幅を備えており、それにより、前記第１バンド末端部は前記第２バンド末端部の前記Ｕ型の断面内に嵌合することを特徴とする、請求項２に記載の拡張可能バンド。
【請求項４】
少なくとも前記バンド本体の前記第２バンド末端部はほぼＵ型の断面を有し、かつ前記バンド本体の前記第１バンド末端部は前記第２バンド末端部より狭い幅を備えており、それにより、前記第１末端部は前記第２バンド末端部の前記Ｕ型の断面内に嵌合することを特徴とする、請求項１に記載の拡張可能バンド。
【請求項５】
前記バンド本体は基部及び該基部から延在する側部を含み、前記複数個のスロットは前記バンド本体の前記基部に配置されていることを特徴とする、請求項１に記載の拡張可能バンド。
【請求項６】
前記第１バンド末端部が、前記バンド本体に取り付けられ、かつ複数個のスロットを有する別個部材を含むことを特徴とする、請求項１記載の拡張可能バンド。
【請求項７】
前記タブが前記バンド本体の前記第２バンド末端部に対して接線の方向にある面に対して鈍角を形成することを特徴とする、請求項１に記載の拡張可能バンド。
【請求項８】
前記ロック部材が半硬質ストリップを含むことを特徴とする、請求項１に記載の拡張可能バンド。
【請求項９】
前記第２バンド末端部がＵ型の断面を有する部分を含み、かつ前記第２バンド末端部の前記端部が前記バンド本体の前記Ｕ型の断面を有する前記部分から一体的に延在することを特徴とする、請求項１に記載の拡張可能バンド。
【請求項１０】
前記第２バンド末端部の前記端部が前記バンド本体の前記第２バンド末端部に取り付けられた異なる延在部材を含むことを特徴とする、請求項１に記載の拡張可能バンド。
【請求項１１】
バンド拡張機構と係合するために、前記バンド本体の内側表面に配置された係合要素をさらに含むことを特徴とする、請求項１に記載の拡張可能バンド。
【請求項１２】
前記係合要素が前記バンド本体の前記内側表面に取り付けられたブロックを含むことを特徴とする、請求項１１に記載の拡張可能バンド。
【請求項１３】
前記バンド本体がほぼＷ型の断面を有することを特徴とする、請求項１に記載の拡張可能バンド。
【請求項１４】
前記バンド本体の前記第１及び第２バンド末端部がほぼＷ型の断面を有することを特徴とする、請求項１３に記載の拡張可能バンド。
【請求項１５】
前記バンド本体が、基部と該基部から延在する少なくとも２つのＶ型の側部とを含み、かつ複数個のスロットが前記バンド本体の前記基部に配置されていることを特徴とする、請求項１に記載の拡張可能バンド。
【請求項１６】
前記半硬質ストリップが少なくとも１つのリブを含むことを特徴とする、請求項８に記載の拡張可能バンド。
【請求項１７】
前記半硬質ストリップが少なくとも１つの凸部を含むことを特徴とする、請求項８に記載の拡張可能バンド。
【請求項１８】
弾力性のあるシール部材と拡張可能バンドとを備えたシールシステムであって、前記拡張可能バンドは、
　第１及び第２バンド末端部を有し、かつ前記第１バンド末端部及び第２バンド末端部がほぼ環状の形状を形成するよう重なり、前記拡張可能バンドが前記弾力性のあるシール部材に接触しているバンド本体と、
　前記第１バンド末端部に近接の前記バンド本体に配置された複数個のスロットと、
　前記第２バンド末端部に配置されたロック部材であって、前記ロック部材は前記第２バンド末端部の一体要素であり、前記弾力性のあるシール部材に対して所望の直径で前記拡張可能バンドをロックするために、前記第２バンド末端部を通って前記複数個のスロットのうちの１つの中に延在するためのタブを含む、ロック部材とを備え、
　前記弾力性のあるシール部材は前記ロック部材のための弾力性のある支持体を備え、
　前記バンド本体の前記第２バンド末端部は前記ロック部材の前記タブを超えて延在する末端部を含んでいることを特徴とする、シールシステム。
【請求項１９】
前記バンド本体がほぼＵ型の断面を有することを特徴とする、請求項１８記載のシールシステム。
【請求項２０】
前記バンド本体の前記第１及び第２バンド末端部が前記ほぼＵ型の断面を有し、かつ前記バンド本体の前記第１バンド末端部が前記第２バンド末端部より狭い幅を有し、前記第１バンド末端部は前記第２バンド末端部の前記Ｕ型の断面内に嵌合することを特徴とする、請求項１９に記載のシールシステム。
【請求項２１】
前記第２バンド末端部の前記端部がほぼ平らな断面を有し、かつほぼＵ型の断面を有する前記第２バンド末端部の部分から一体的に延在することを特徴とする、請求項２０に記載のシールシステム。
【請求項２２】
前記ロック部材が半硬質ストリップを含むことを特徴とする、請求項１８に記載のシールシステム。
【請求項２３】
前記バンド本体がほぼＷ型の断面を有することを特徴とする、請求項１８に記載のシールシステム。
【請求項２４】
前記バンド本体の前記第１及び第２バンド末端部が前記ほぼＷ型の断面を有することを特徴とする、請求項１８に記載のシールシステム。
【請求項２５】
前記バンド本体が基部及び該基部から延在する少なくとも２つのＶ型の側部を含み、かつ、複数個のスロットが前記バンド本体の前記基部に配置されていることを特徴とする、請求項１８に記載のシールシステム。
【請求項２６】
前記半硬質ストリップが少なくとも１つのリブを含むことを特徴とする、請求項２２に記載のシールシステム。
【請求項２７】
前記半硬質ストリップが少なくとも１つの凸部を含むことを特徴とする、請求項２２に記載のシールシステム。
【発明の詳細な説明】
【技術分野】
【０００１】
　本発明は、拡張可能バンド及びそうしたバンドのためのロック装置に関する。具体的には、一方の端部にスロットと他方の端部に一体のロック部材とを有し、スロットの１つと係合し、かつ所望の直径でバンドをロックすることができる拡張可能バンドに関する。本発明はまた、そのような拡張可能バンドを有するシールシステムに関する。
【背景技術】
【０００２】
　拡張可能バンドは、パイプ、マンホール、又は他の同様な構造物の内側表面に対して柔軟性のあるシール要素又はガスケットを固定するために通例使用される。拡張可能バンドはほぼ、シール要素内の環状表面に対して嵌合し、かつ、シール要素に対して圧力を加えるために拡張される。多様な型のロック装置がシール要素に対して拡張位置でバンドをロックするために使用される。
【発明の開示】
【発明が解決しようとする課題】
【０００３】
　しかしながら、現行のバンド及びロック装置には数多くの制限や不都合がある。現行の拡張可能バンドの多くは所定の一つの直径まで拡張可能で、したがって拡張範囲は限定されている。こうしたバンドの多くはまた、バンドを拡張しロックするために多くの段階を踏む必要があり、かつ、任意の直径でバンドを素早くしっかりとロックすることができない。さらに、取り付け又は調節の際、現行のバンドは滑らかに滑らず又は留まらない。概して、現行のバンドは、多様な大きさのパイプ又はマンホールに取り付けるのに必要な多様な大きさの密閉に適していない。
【０００４】
　したがって、本発明の目的は、所定の直径の範囲内で任意の直径に容易に調節され、かつ、しっかりとロックする拡張可能バンドを提供することである。
　また、本発明の目的は、そのような拡張可能バンドを有するシールシステムを提供することである。
【課題を解決するための手段】
【０００５】
　　本発明は、第１バンド末端部及び第２バンド末端部を有するバンド本体を備えた拡張可能バンドを特徴とする。複数個のスロットがバンド本体の第１バンド末端部に配置される。ロック部材は、第２バンド末端部の一体要素として形成され、かつ、第２バンド末端部の開口部を通って、所望の直径で拡張可能バンドをロックするための複数個のスロットの１つの中に延在するためのタブ（ここではラッチとして知られ言われることもある）を含む。本体の第２バンド末端部は、ロック部材のタブを超えて延在する端部を含む。
【０００６】
　本体の第１及び第２バンド末端部は、第２バンド末端部とほぼ環状の形状を形成するために重なっていることが好ましい。ロック部材のタブは、複数個のスロットの１つと係合するためにバンドに対して内側に伸び、かつ、バンド本体の第２バンド末端部に対して接線の方向にある面に対して鈍角を形成することが好ましい。
【０００７】
　ある実施例では、バンド本体はほぼＵ型の断面を有し、バンド本体は基部及び基部から延在する側部を含む。複数個のスロットはバンド本体の基部に配置されている。第１及び第２バンド末端部の少なくとも一部分はまた、ほぼＵ型の断面を有し、かつ、第１バンド末端部が第２バンド末端部のＵ型の断面内に嵌合するように、第１バンド末端部は第２バンド末端部より狭い幅を備えているのが好ましい。好適な実施例においては、第２バンド末端部はタブのそれぞれの側にＵ型の断面を有している。
【０００８】
　第２バンド末端部の末端部分はまた、Ｕ型の断面を有する第２バンド末端部の部分から伸び及び一体となっている平らな断面を備えていることが好ましい。あるいは、第２バンド末端部は、平らな断面を有し、かつＵ型断面を有する第２バンド末端部分に取り付けられた別の拡張部材を備えることもできる。
【０００９】
　好適な実施例において、バンド本体はほぼ“Ｗ型”又は“波型”の断面を有する。第１及び第２バンド末端部は互いに“巣”を作り、“ネックダウン”の必要はない。第１及び第２バンド末端部は、基部から延在する少なくとも２つのＶ型の側部を含む。
【００１０】
　ある実施例では、複数個のスロットを有する第１バンド末端部はバンド本体と一体である。他の実施例では、第１バンド末端部はバンド本体に取り付けられ、かつ、複数個のスロットを有する別個部材を備える。ある実施例では、ロック部材は半硬質ストリップを含む。好適な実施例では、半硬質ストリップは少なくとも１つのリブ又は凸部を含む。
【００１１】
　拡張可能バンドの好適な実施例はさらに、バンド拡張機構と係合するためのバンド本体の内側表面に配置された係合要素を含む。ある実施例では、係合要素は、バンド本体の内側表面に取り付けられたブロック（ジャッキ受とも言われる）を含む。
【００１２】
　本発明はまた、円筒形の構造物の内側表面と１つ以上の拡張可能バンドとを密閉するための弾力性のあるシール部材を備えるシールシステムを特徴とする。
【発明を実施するための最良の形態】
【００１３】
　本発明の特徴及び利点は、以下の詳細な説明を読み、図面を参照することでより理解が深まるだろう。
　本発明に基づいて図１の拡張可能バンド１０は、パイプ、マンホール、又は構造物の壁を貫いた丸い穴といった丸い構造物４の内部の中のゴム製シール又はガスケットのようなシール要素２を固定するために使用される。拡張可能バンド１０は、円筒構造物４の内側表面６に対してシール要素２を固定するために外側に広がっている。拡張可能バンド１０は、以下に記述のように、予め定める直径の範囲内の所望の拡張位置にロックする。例示実施例ではシール要素２及び円筒構造物４を示しているが、本発明は、異なる形状の他の型の構造物との拡張可能バンド１０の多様なその他の使用も意図している。
【００１４】
　拡張可能バンド１０は、第１バンド末端部１４と第２バンド末端部１６とを有するバンド本体１２を備える。バンド本体１２の第１及び第２末端部１４、１６は、ほぼ環状の形状のバンドを形成するために重なっているほうが好ましい。バンドが拡張する際、第１及び第２バンド末端部１４、１６は、矢印の方向１８、２０が示すようにそれぞれ反対方向に移動する。好適な実施例においては、拡張可能バンド１０は、３０４又は３１６ステンレス鋼又は他に何か適した材料でできている。
【００１５】
　好適な実施例においては、図２の複数個のスロット２２は、第１バンド末端部１４に打抜かれ、研削され、又は別な方法で配置されている。一例を挙げれば、スロット２２は、ほぼ各末端に半円を備えた長方形の形状で、幅約０．３１８ｃｍ、長さ約１．５８８ｃｍ、及び間隔約０．７９３８ｃｍであることが好ましい。本発明はスロット２２の他の形状及び大きさも目論んでいる。
【００１６】
　図１のロック部材２４（以下タブ又はラッチと呼ぶこともある）は第２バンド末端部の一体要素であり、第２バンド末端部１６の開口部を通って第１バンド末端部のスロット２２の１つの中に延在するタブ２６を有し、それにより所望の直径で拡張可能バンド１０をロックすることができる。好適な実施例においては、第２バンド末端部１６は第１バンド末端部１４と重なり、タブ２６はスロット２２の１つと係合するためにバンド１０に対してほぼ内向きに延在する。また、第２バンド末端部１６は、第１末端部１４と重なった状態での移動を容易にするために、ロック部材２４のタブ２６を超えた先端まで延在する端面２８を備える。
【００１７】
　一例を挙げれば、図２の第１バンド末端部１４は、バンド本体１２と一体である。他の実施例では、図３の第１バンド末端部１４は、バンド本体１２に溶接され、圧接され、接着され、又は別の方法で取り付けられた別個部材３０を備える。第１バンド末端部は、ほぼ硬質で本質的に平らな材料（例えば、約０．４７８ｃｍから０．６３５ｃｍの厚さを持っている）、又は、以下に記述のように、他の形状を有する断面を備えていてもよい。
【００１８】
　一例を挙げれば、図４の第１及び／又は第２バンド末端部１４、１６もまた、ほぼ、Ｕ型の断面を有する。第１バンド末端部１４は、基部３２と、Ｕ型の断面を形成するために基部３２から延在する側部３４、３６とを備える。複数個のスロット２２は、基部３２に配置されている。第１バンド末端部１４の幅は第２バンド末端部１６より狭いほうが好ましく、それにより第１バンド末端部１４（又はネスト）は第２バンド末端部１６のＵ型の断面内に嵌合する。図２のように、第１バンド末端部１４は、より狭い幅を形成するためにバンド本体１２から“ネックダウン”しているのが好ましい。図３の実施例では、第１バンド末端部１４を形成するためにバンド本体１２に取り付けられた別個部材３０は、より狭い幅を有する。
【００１９】
　好適な実施例においては、図５の第１及び第２バンド末端部１４、１６の少なくとも一部はほぼＷ型又は波型の断面を有し、第１及び第２バンド末端部１４、１６は互いに“巣を作り”、”ネックダウン“される必要がない。第１及び第２バンド末端部１４、１６は、基部３２から延在する少なくとも２つのＶ型の側部３５、３７を有する。複数個のスロット２２は基部３２に配置される。
【００２０】
　Ｕ型の断面の実施例を有する拡張可能バンド１０は、第１バンド末端部１４が第２バンド末端部１６のＵ型の断面内に嵌合しなければならないので、“ネックダウン”された部分の大きさによって、機能範囲がある程度限定される。反対に、Ｗ型の断面を有する拡張可能バンド１０の第１バンド末端部１４は、第２バンド末端部１６内に嵌合する必要がない。その結果、Ｗ型の断面を有する拡張可能バンド１０は他の既知の断面部分を有する拡張可能バンドより広範囲にわたって機能することができる。
【００２１】
　しかしながら、本発明はＵ又はＷ型の断面に限定されず、Ｃ型の断面、波型の断面、及び平らな断面をも含むがそれらに限定されないバンド本体１２及び第１及び第２バンド末端部１４、１６のための多様な型の断面を目論んでいる。
【００２２】
　本発明の例示実施例に基づいて、図６−８のロック部材２４は、第２バンド末端部１６の一体要素である半硬質ストリップ４０を備える。タブ２６は半硬質ストリップの遠位端４３から延在し、かつ、第２バンド末端部１６に対して接線の方向に面４１に対して鈍角を形成していることが好ましい。半硬質ストリップ４０は、一体要素として第２バンド末端部１６から、打抜かれ、研削され、“パンチアウト”され、又は別の方法で配置される。開口部４２は半硬質ストリップ４０を形成した結果生じ、タブ２６を受容する。
【００２３】
　半硬質ストリップ４０用の材質は、ステンレス鋼のように硬くて強く、かつ６０−９０度の屈曲を可能にするものが好ましい。ロック装置を形成する半硬質ストリップ４０は、厚さ約０．１４２ｃｍ、幅１．２７ｃｍ、及び長さ４．２７ｃｍであることが好ましい。本発明はロック装置２４のための他の適した材質、形状、及び大きさを目論んでいる。更に、本発明は第２バンド末端部１６から一体要素として半硬質ストリップ４０を形成する他の方法も目論んでいる。
【００２４】
　好適な実施例としては、図９（ａ）、９（ｂ）の半硬質ストリップ４０は、少なくとも一つのリブ又は凸部４４を備える。リブ４４は、半硬質ストリップ４０から又はその上で、打抜かれ、研削され、プレスされ、溶接され、“パンチアウト”され、接着され、又は別の方法で配置されてもよく、それにより半硬質ストリップ４０の剛性及び強度を増加する。
【００２５】
　図１０の拡張可能バンド１０はさらに、バンド本体１２の内側表面５２に取り付けられたブロック又はジャッキ受といった係合要素５０を備えてもよい。使用の１つの方法では、バンド拡張機構５４は拡張可能バンド１０を拡張するために使用される。拡張装置５４の拡張部材５６、５８は、係合要素５０と、第１及び第２バンド末端部１４、１６を矢印１８，２０の方向に移動させる第１バンド末端部１４の端面６０と係合する。本発明はまた、バンド本体１２の穴又は隙間といった他の型の係合要素５０をも目論んでいる。本発明はさらに、他の型のバンド拡張機構をも目論む。
【００２６】
　バンドが拡張すると、シール要素２の変形能力により、図１２のタブ２６は第１バンド末端部１４のスロット２２から外され、第１バンド末端部がタブ２６との係合から“持ち上げる”必要なく、第１及び第２バンド末端部１４、１６は矢印１８、２０の方向に互いに滑らかに滑ることができる。
【００２７】
　拡張が所望の直径に達した際、図１３のタブ２６は所望の直径でスロット２２ａに係合し、その結果、第１バンド末端部１４と第２バンド末端部１６との間の相対運動を防ぐことによりバンド１０をロックする。タブ２６が角度αに設定されていることにより、バンド１０が拡張されたとき、タブ２６はスロット２２との係合から容易に外れると共に、スロット２２ａ内のタブのロックが容易である。
【００２８】
　ロック部材２４に対してシール要素２により加えられた圧力は、スロット２２ａ中にタブ２６を保持する。ほぼ内向きに面しているタブ２６を有するロック部材２４を第２バンド末端部１６上にシール要素２に対して配置することにより、シール要素２はタブ２６に対して弾力性のある又はばね付勢された支持体を提供する。こうした弾力性のある支持体により、バンド１０の端部１４、１６は、拘束なしに滑らかに滑ることが可能になる。さらに、ロック部材２４を第２バンド末端部１６の一体要素にすることにより、ロック部材２４がスロット２２ａに配置された際、ロック部材２４が拡張可能バンド１０の残りと同様に同じ半径内にあるため、拡張可能バンド１０は構造物４の内部に対してより密閉度の高いシールを形成する。その結果、シール要素２の弾力性のある又はばね付勢された支持体は、拡張可能バンド１０全体に対してより均一に分配される。
【００２９】
　拡張可能バンド１０を外す１つの方法として、スクリュードライバーに類似した図１１の道具６２が使用される。道具６２の平頭６４がタブ２６（図１０）の前方の隙間６６の中、及び、第１バンド末端部１４と第２バンド末端部１６との間、例えばＵ型の断面を形成する側面の間に挿入される。次に、道具は矢印６８の方向にほぼ動かされ、タブがスロット２２ａとの係合から外れるまで、平頭６４は、外側つまり第２バンド末端部から、内側つまり第１バンド末端部を持ち上げる。必要なら、付加的な力が、例えばハンマーにより、道具６２に対して加えられてもよい。
【００３０】
　したがって、本発明の拡張可能バンド１０は、直径のより広範囲で、拡張可能で、かつ、効果的にロック可能である。本発明の拡張可能バンド１０は、構造物４の内部に対してより密閉する。さらに、本発明の拡張可能バンド１０は、拡張可能バンド１０の取り付け及び調整と共に、取り外しのための拡張可能バンド１０の解除を容易にする。
【００３１】
　当業者による修正及び代替は、前述の請求項により限定される以外は、本発明の要旨を逸脱しない範囲で、考慮されるべきである。
【図面の簡単な説明】
【００３２】
【図１】本発明の一実施形態の、シール要素内に設置された拡張可能バンドの部分的断面側面図である。
【図２】本発明の一実施形態の、拡張可能バンドの第１及び第２末端部が重なっていることを示す底面図である。
【図３】本発明の他の実施形態の、拡張可能バンドの第１末端部の底面図である。
【図４】図２の４−４に沿った拡張可能バンドの断面図である。
【図５】Ｗ型の断面を有する拡張可能バンドの断面図である。
【図６】本発明に基づく、拡張可能バンドの第１及び第２末端部の平面図である。
【図７】本発明に基づく、拡張可能バンドの第２末端部の底面図である。
【図８】本発明に基づく、図５の７−７に沿った、拡張可能バンドの第１及び第２末端部の断面図である。
【図９】本発明に基づく、半硬質ストリップの一実施例を示した図であり、（ａ）は平面図であり、（ｂ）は断面図である。
【図１０】拡張可能バンドを拡張するために使用される拡張機構の概略図である。
【図１１】拡張可能バンドが道具で外されている状態を示す断面図である。
【図１２】拡張可能バンドが拡張された際の、第１及び第２バンド末端部が重なっている状態を示す断面図である。
【図１３】ロック位置にある拡張可能バンドの第１及び第２バンド末端部の断面図である。
【符号の説明】
【００３３】
２…シール要素、　　　　　４…円筒構造物、　　　　　６…内側表面、
１０…拡張可能バンド、　　１２…バンド本体、　　　１４…第１バンド末端部、
１６…第２バンド末端部、　１８…矢印、　　　　　　２０…矢印、
２２…スロット、　　　　　２４…ロック部材、　　　２６…タブ、
２８…端面、　　　　　　　３０…別個部材、　　　　３２…基部、
３４…側部、　　　　　　　３５…側部、　　　　　　３６…側部、
３７…側部、　　　　　　　４０…半硬質ストリップ、４１…面、
４２…開口部、　　　　　　４３…遠位端、　　　　　４４…リブ、
５０…係合要素、　　　　　５２…内側表面、　　　　５４…バンド拡張機構、
５６…拡張部材、　　　　　５８…拡張部材、　　　　６０…端面、
６２…道具、　　　　　　　６４…平頭、　　　　　　６６…隙間、
６８…矢印
【図１】
2004076939.tif 000003
【図２】
2004076939.tif 000004
【図３】
2004076939.tif 000005
【図４】
2004076939.tif 000006
【図５】
2004076939.tif 000007
【図６】
2004076939.tif 000008
【図７】
2004076939.tif 000009
【図８】
2004076939.tif 000010
【図９】
2004076939.tif 000011
【図１０】
2004076939.tif 000012
【図１１】
2004076939.tif 000013
【図１２】
2004076939.tif 000014
【図１３】
2004076939.tif 000015